(57)【特許請求の範囲】
【請求項１】
設定項目の選択、及び、選択された設定項目での設定値を設定するための複数のキーを画面に表示する表示部と、
前記表示部で押された位置を検知するためのタッチパネル部と、
前記タッチパネル部の出力に基づき前記表示部に表示される前記キーのうち押されたキーを認識して入力を受け付けるとともに、前記表示部の表示を制御し、押された前記キーに応じて表示を前記表示部に切り替えさせる表示制御部と、を含み、
前記表示制御部は、前記キーが押される時間間隔を測定し、予め定められた基準時間よりも短い前記時間間隔で前記キーが押されると、予め定められた特定のキーである特定キーの入力の受け付けを遅らせる誤入力防止モードで前記キーの入力を受け付け、前記キーが押されることにより前記表示部に切替表示させる切替後の画面で、切替前の画面で押された前記キーの位置と重複する位置に前記特定キーが位置するとき、前記誤入力防止モードのとき、切替後の画面での前記特定キーの位置を重複しない位置に移動させて前記表示部に表示させることを特徴とする表示入力装置。
【請求項２】
前記表示制御部は、既になされた設定の取消を受け付けるための取消キーを前記表示部に表示させ、
前記取消キーは、前記特定キーであることを特徴とする請求項１記載の表示入力装置。
【請求項３】
前記表示制御部は、設定の確定を受け付けるための確定キーを前記表示部に表示させ、
前記確定キーは、前記特定キーであることを特徴とする請求項１又は２に記載の表示入力装置。
【請求項４】
前記表示制御部は、前記誤入力防止モードとなった後、先の前記キーが押されてから次の前記キーの押されるまでの間隔が前記基準時間以上となると、前記誤入力防止モードを解除することを特徴とする請求項１乃至３の何れか１項に記載の表示入力装置。
【請求項５】
請求項１乃至４の何れか１項に記載の表示入力装置を含むことを特徴とする画像形成装置。
【発明の詳細な説明】
【技術分野】
【０００１】
本発明は、表示部と、タッチパネル等を有する表示入力装置に関する。又、この表示入力装置を備えた複写機、複合機、プリンタ、ＦＡＸ装置等の画像形成装置に関する。
【背景技術】
【０００２】
例えば、使用者は、所望する設定でジョブが実行されるように、画像形成装置の表示入力装置（例えば、操作パネル）に対し各種設定の入力を行う。そして、表示入力装置にはタッチパネルが設けられることがある。タッチパネルを備えた表示入力装置は、設定画面を表示し、タッチパネルを用いて使用者のタッチにより押されたキーやボタンを認識し、入力を受け付ける。ここで、使用者は、誤ってキーを押してしまうことがある。誤入力を防ぐことができれば、設定の取消や、やり直しという手間を回避することができる。そこで、使用者の誤入力に対する発明が特許文献１に記載されている。
【０００３】
具体的に、特許文献１には、キー入力手段と、キー入力手段からのキー入力を検知する検知手段と、検知手段により得られたキー入力情報を格納するバッファとを備え、一定期間内に１つ以上のキー入力が検知手段により検知された場合、キー入力情報をバッファに格納し、一定期間内に入力されたキー入力情報のうち、最後にバッファに格納されたキー入力情報のみを有効とする電子機器が記載されている。この構成により、誤ってキーが押された場合でも、一定期間内に所望のキーを入力により、ユーザーの意図通りの操作を実現し、ユーザーの誤操作による誤作動を防止しようとする（特許文献１：請求項１、段落［０００９］等参照）。
【先行技術文献】
【特許文献】
【０００４】
【特許文献１】特開２００９−０２１０４３号公報
【発明の概要】
【発明が解決しようとする課題】
【０００５】
使用者は、各キーの配置や画面の内容を使用しているうちに憶え、表示入力装置の操作に習熟する。そして、操作になれてくると、使用者は、表示されるキーや内容を過去の経験から予測し、素早く入力する（次々とキーを押してゆく）場合がある。
【０００６】
しかし、慣れにより、切り替わりによって新しく表示された画面の内容やキーを良く確認せずキーを押したり、新しく画面が切り替えられるや否やキーを押したりする。そのため、慣れによる早押しで、かえって誤ったキーを押してしまうことがある。誤ったキーを押すと、使用者の意図しない処理がなされ、設定のやり直しが必要となる場合がある。
【０００７】
例えば、複数ある設定値の中から誤った設定値を選択した（誤った設定値のキーを早押した）場合では、正しい設定値を選択し直せばすむ。しかし、慣れによる早押しのため、誤って複雑な設定を取り消してしまうキー（キャンセルキー等）を押すことがある。又、誤ってキーを押すことにより、画面が大きく切り替わり、元の画面に戻るために、１又は複数の画面の遷移を行わなければならないこともある。そのため、設定のやり直しに手間がかかるような、慣れに起因する誤入力（誤ったキーの押下）を受け付けないようにすべきであるという問題がある。
【０００８】
ここで、特許文献１記載の電子機器は、手の震えなどによってキーを複数回連続的に押すような操作に対しては、誤入力を防ぐ働きを示すと思われる。しかし、特許文献１記載の発明では、慣れによって、表示された画面の内容やキーを良く確認せずキーを押すことによる誤入力が行われた場合、次々に押された一連のキーのうち、誤入力として入力された最後のキーが有効として入力が受け付けられる場合がある。これにより、使用者の意図しない処理がなされ、手間のかかる設定のやり直しが必要となり得る。従って、特許文献１記載の発明では、上記の問題を解決することはできない。
【０００９】
本発明は上記の問題点に鑑み、慣れに起因する早押しによる誤入力のうち、特定の入力の受け付けを遅らせて、操作の効率性の低下を抑えつつ正確な入力のみを受け付け、手間のかかる設定のやり直しを防ぎ、表示入力装置の使いやすさを向上させることを課題とする。
【課題を解決するための手段】
【００１０】
上記課題解決のため請求項１に係る表示入力装置は、設定項目の選択、及び、選択された設定項目での設定値を設定するための複数のキーを画面に表示する表示部と、前記表示部で押された位置を検知するためのタッチパネル部と、前記タッチパネル部の出力に基づき前記表示部に表示される前記キーのうち押されたキーを認識して入力を受け付けるとともに、前記表示部の表示を制御し、押された前記キーに応じて表示を前記表示部に切り替えさせる表示制御部と、を含み、前記表示制御部は、前記キーが押される時間間隔を測定し、予め定められた基準時間よりも短い前記時間間隔で前記キーが押されると、予め定められた特定のキーである特定キーの入力の受け付けを遅らせる誤入力防止モードで前記キーの入力を受け付け、前記キーが押されることにより前記表示部に切替表示させる切替後の画面で、切替前の画面で押された前記キーの位置と重複する位置に前記特定キーが位置するとき、前記誤入力防止モードのとき、切替後の画面での前記特定キーの位置を重複しない位置に移動させて前記表示部に表示させることとした。
【００１１】
この構成によれば、表示制御部は、キーが押される時間間隔を測定し、予め定められた基準時間よりも短い時間間隔でキーが押されると、予め定められた特定キーの入力の受け付けを遅らせる誤入力防止モードでキーの入力を受け付ける。これにより、キーが押される時間間隔が短く、表示された画面の内容やキーを確認しないままキーが押されている可能性があるとき、慣れに起因して誤って前のキーを押してから短い時間の間隔で特定キーが押されても、直ちには入力が受け付けられない。言い換えると、特定キーの入力が受け付けられるまでに要する時間を意図的に落とし、表示された画面の内容やキーの確認を促す。従って、使用者の意図しない処理がなされ、設定のやり直しを防ぐことができ、表示入力装置の使いやすさを向上させることができる。また、この構成によれば、表示制御部は、切替前の画面で押されたキーの位置と重複する位置に、キーが押されることにより表示部に切替表示させる切替後の画面に特定キーが位置するとき、誤入力防止モードのとき、切替後の画面での特定キーの位置を重複しない位置に移動させて表示部に表示させる。これにより、通常では、同様の位置に表示されるキーを押すが、誤入力防止モードでは指の位置を移動させる必要がある。指の移動には、一定の時間がかかるので、押そうとしているキーが正しいキーか否かに気づく時間を設けることができる。又、慣れに起因する同じ位置や近い位置での二度押しによる誤ったキーの入力を生じ難くすることができる。
【００１２】
又、予め定められた特定のキーである特定キーのみ入力の受け付けが遅らされる。これにより、表示部に表示された全てのキーの入力の受付が遅らされない。従って、誤入力防止モードとなっても、設定入力の遅延は入力操作全般に及ばず、迅速な設定入力を妨げとなり難い。又、予め定められた基準時間よりも短い時間間隔でキーが押されたときのみ誤入力防止モードとなり、常時、誤入力防止モードとしないので、設定の入力の遅延を招き難い。
【００１３】
尚、「基準時間」は、表示部の画面サイズや各キー間の平均距離などを勘案して任意に定めることができる時間である。例えば、「基準時間」は、実験等により操作に慣れた使用者の平均的なキーとキーを押す間隔に基づき定めても良い。
【００１４】
又、請求項２に係る発明は、請求項１の表示入力装置において、前記表示制御部は、既になされた設定の取消を受け付けるための取消キーを前記表示部に表示させ、前記取消キーは、前記特定キーであることとした。
【００１５】
既になされた設定の取り消すための取消キーを押すと、設定内容を破棄する処理がなされ、設定のやり直しが必要となる。先に行った操作の繰り返しは煩雑である。又、先に行った操作が複雑であるほど、設定のやり直しに手間がかかる。そこで、この構成によれば、取消キーは、特定キーとされる。これにより、慣れに起因する取消キーの誤入力が受け付けられることを防ぐことができる。従って、手間のかかる設定のやり直しを防ぎ、表示入力装置の使いやすさを向上させることができる。
【００１６】
又、請求項３に係る発明は、請求項１又は２の発明において、前記表示制御部は、設定の確定を受け付けるための確定キーを前記表示部に表示させ、前記確定キーは、前記特定キーであることとした。
【００１７】
設定を確定する確定キーを押すと、設定項目の設定は完了し、画面の表示が大きく切り替わることがある。しかし、確定した設定項目の設定に誤りがあれば、設定項目の選択や設定値の設定のやり直しが必要となり、使用者にとって煩雑な操作となることがある。そこで、この構成によれば、確定キーは、特定キーとされる。これにより、慣れに起因して誤って押された確定キーの入力が受け付けを防ぐことができる。従って、手間のかかる設定のやり直しを防ぎ、表示入力装置の使いやすさを向上させることができる。
【００１８】
尚、前記表示制御部は、前記誤入力防止モードのとき、先の前記キーが押されてから予め定められた入力無視時間が経過すると前記特定キーによる入力を受け付け、前記入力無視時間が経過からするまでの間に前記特定キーが押されても無視するようにしてもよい。
【００１９】
この構成によれば、表示制御部は、誤入力防止モードのとき、先のキーが押されてから予め定められた入力無視時間が経過すると特定キーによる入力を受け付け、入力無視時間が経過からするまでの間に特定キーが押されても無視する。これにより、慣れに起因して誤った特定キーが押されても直ちに入力は受け付けられない。又、画面内容や押そうとしているキーが何であるかを使用者に確認させることができ、使用者は、入力無視時間経過後に正しいキーを押すことになり、誤入力を防止することができる。
【００２０】
尚、「入力無視時間」は、任意に定められる時間である。例えば、十分に使用者に押そうとしているキーの内容を確認させるための時間であり、慣れによるキーの早押しを行っているか否かを判定するための基準時間よりも長くすることができる。
【００２１】
尚、前記表示制御部は、前記誤入力防止モードのとき、前記特定キーが複数回押されると、前記特定キーによる入力を受け付けるようにしてもよい。
【００２２】
この構成によれば、表示制御部は、誤入力防止モードのとき、特定キーが複数回押されると、特定キーによる入力を受け付ける。これにより、慣れに起因して誤った特定キーが押されても直ちに入力は受け付けられない。又、使用者は、複数回キーを押すうちに、画面内容や押そうとしているキーを確認できる。そして、正しいキーを押しているか判定させることにより、誤入力を防止することができる。
【００２３】
尚、前記表示制御部は、前記誤入力防止モードのとき、前記特定キーが押されると、前記表示部に前記特定キーが押されたことを確認するための確認画面を表示させ、前記確認画面で処理を進めても良い旨の続行入力がなされると前記特定キーの入力を受け付け、処理を進めない旨の中止入力がなされると前記特定キーの入力を無視するようにしてもよい。
【００２４】
この構成によれば、表示制御部は、誤入力防止モードのとき、特定キーが押されると、表示部に特定キーが押されたことを確認するための確認画面を表示させ、確認画面で処理を進めても良い旨の続行入力がなされると特定キーの入力を受け付け、処理を進めない旨の中止入力がなされると特定キーの入力を無視する。これにより、慣れに起因して誤った特定キーが押されても、入力したキー（押したキー）が正しいか否かが使用者に確実に確認される。従って、誤入力に基づく使用者の意図しない処理が行われない。
【００２５】
尚、前記表示制御部は、前記誤入力防止モードのとき、予め定められた長押し時間の間、前記特定キーが押され続けると、前記特定キーによる入力を受け付けるようにしてもよい。
【００２６】
この構成によれば、表示制御部は、誤入力防止モードのとき、予め定められた長押し時間の間、特定キーが押され続けると、特定キーによる入力を受け付ける。これにより、慣れに起因して誤った特定キーが押されても直ちに入力は受け付けられない。又、使用者は、キーを押している間、画面内容や押してしているキーが正しいキーか否かに気づくことができる。従って、誤入力を防止することができる。
【００２９】
又、請求項４に係る発明は、請求項１乃至３の発明において、前記表示制御部は、前記誤入力防止モードとなった後、先の前記キーが押されてから次の前記キーの押されるまでの間隔が前記基準時間以上となると、前記誤入力防止モードを解除することとした。
【００３０】
この構成によれば、表示制御部は、誤入力防止モードとなった後、先のキーが押されてから次のキーが押されるまでの間隔が基準時間以上となると、誤入力防止モードを解除する。これにより、使用者がキーの内容を確認しつつ、キーを選択して入力している（押している）と認められるとき、誤入力防止モードが解除される。従って、慣れに起因する誤入力が生じ難いと認められるとき、入力の受付は遅延無く行われ、表示入力装置の使いやすさを高めることができる。
【００３１】
又、請求項５に係る画像形成装置は、請求項１乃至４のいずれか１項に記載の表示入力装置を含むこととした。
【００３２】
この構成によれば、上記の何れかの表示入力装置を含むので、使いやすい画像形成装置を提供することができる。
【発明の効果】
【００３３】
上述したように、本発明によれば、慣れに起因した早押しによる誤入力のうち、特定の入力の受け付けを遅らせる。これにより、正確な入力のみを受け付け、使用者の意図しない処理がなされることを回避する。そして、入力の迅速な受付をある程度確保して、操作の効率性の低下を抑える。又、手間のかかる設定のやり直しを防ぎ、表示入力装置の使いやすさを向上させる。
【図面の簡単な説明】
【００３４】
【図１】複合機の一例を示す模型的正面断面図である。
【図２】操作パネルの一例を示す平面図である。
【図３】複合機のハードウェア構成の一例を示すブロック図である。
【図４】ボックス機能を利用するためのボックス初期画面の一例を示す説明図である。
【図５】原稿を読み取る上での設定項目を選択する選択画面の一例を示す説明図である。
【図６】原稿サイズの設定項目の設定値を設定する設定画面の一例を示す説明図である。
【図７】誤入力防止モードのキー入力の受付を設定する誤入力防止モード設定画面の一例を示す説明図である。
【図８】確認画面の一例を示す説明図である。
【図９】特定キーの移動の一例を示す説明図である。
【図１０】（ａ）、（ｂ）は、誤入力防止モードと通常モードの遷移の一例を説明するための説明図である。
【図１１】操作パネルでのキーの入力受付の流れの一例を示すフローチャートである。
【発明を実施するための形態】
【００３５】
本発明の実施形態を図１〜図１１を用いて説明する。ここで、本発明は、各種表示入力装置に適用可能であるが、複合機１００（画像形成装置に相当）の操作パネル１（表示入力装置に相当）を例に挙げ説明する。但し、本実施の形態に記載されている構成、配置等の各要素は、発明の範囲を限定せず、単なる説明例にすぎない。
【００３６】
（複合機１００の概略構成）
まず、図１に基づき、実施形態に係る複合機１００本体の概略を説明する。図１は、複合機１００の一例を示す模型的正面断面図である。
【００３７】
本実施形態の複合機１００は、上部に原稿搬送装置２ｂ、画像読取部２ａ、操作パネル１等が設けられる。原稿搬送装置２ｂは、原稿載置トレイ２１に積載された原稿を１枚ずつ連続的に画像読取部２ａの読取位置（送り読取用コンタクトガラス２２）に向けて搬送する。又、原稿搬送装置２ｂは、図１の紙面奥側に設けられた支点（不図示）により、手前側を振るようにして開閉可能である。例えば書籍等の原稿を載置読取用コンタクトガラス２３に載せ、原稿搬送装置２ｂを閉じることで原稿を抑えることができる。
【００３８】
画像読取部２ａは、原稿を読み取り画像データを生成する。そして、画像読取部２ａの上面にコンタクトガラス（送り読取用コンタクトガラス２２と載置読取用コンタクトガラス２３）が設けられる。画像読取部２ａの内部には、水平方向（図１で言えば、左右方向）で移動する移動枠（露光ランプ、ミラー等を具備）、レンズ、イメージセンサ（例えば、ＣＣＤ）等の光学系部材（いずれも不図示）が設けられる。例えば、原稿搬送装置２ｂで連続的に搬送される原稿を読み取る場合、送り読取用コンタクトガラス２２の下方に移動枠を固定し、原稿の反射光をレンズ、イメージセンサに導く。又、載置読取用コンタクトガラス２３に載置された原稿を読み取る場合には、移動枠を水平方向に移動させて、原稿の反射光をレンズ、イメージセンサに導く。
【００３９】
そして、画像読取部２ａはこれら光学系部材を用い、原稿に光を照射し、その原稿の反射光を受けたイメージセンサの各画素の出力値をＡ／Ｄ変換し、画像データを生成する。そして、複合機１００は読取られた画像データに基づき印刷可能である（コピー機能）。
【００４０】
又、図１において破線で示すように、操作パネル１が画像読取部２ａの正面側（複合機１００の正面上方）に設けられる。尚、操作パネル１の詳細は後述する。
【００４１】
また、複合機１００本体内部に、給紙部３ａ、搬送路３ｂ、画像形成部４ａ、定着部４ｂ等が設けられる。
【００４２】
給紙部３ａは、印刷に用いる用紙を収容、供給する。給紙部３ａは、垂直方向に積まれた挿脱可能なカセット３１（３１ａ、３１ｂ）を計２つ含む。各カセット３１は、各種（例えば、普通紙、コピー用紙、再生紙等）、各サイズ（例えば、Ａ４、Ａ３、Ｂ４、Ｂ５、レターサイズ等）の用紙を複数（例えば、５００〜１０００枚程度）積載して収容する。各カセット３１（３１ａ、３１ｂ）には、給紙ローラー３２が設けられる。そして、印刷とき、何れかの給紙ローラー３２が回転駆動し、用紙の供給がなされる。
【００４３】
搬送路３ｂは、装置内で用紙を搬送する通路である。そして、搬送路３ｂには、用紙搬送時に回転駆動する搬送ローラー対３３や、搬送される用紙を画像形成部４ａの手前で待機させ、トナー像形成のタイミングを合わせ送り出すレジストローラー対３４や、定着済み用紙を排出トレイ３５に向けて排出する排出ローラー対３６等が設けられる。
【００４４】
画像形成部４ａは、画像データに基づき給紙部３ａから供給された用紙に画像（トナー像）を形成し、搬送される用紙にトナー像を転写する。尚、画像データには、画像読取部２ａで取得された原稿の画像データや、複合機１００に接続されるコンピューター２００（図３参照）から送信された画像データが利用される。そして、画像形成部４ａは、図１中に示す矢印方向に回転駆動可能に支持された感光体ドラム４１や、その周囲に配設された帯電装置４２、露光装置４３、現像装置４４、転写ローラー４５、クリーニング装置４６等を備える。
【００４５】
画像形成部４ａの略中心に、所定方向に回転駆動する感光体ドラム４１が設けられる。帯電装置４２は、所定電位に感光体ドラム４１を帯電させる。露光装置４３は、画像データに基づきレーザ光を出力し、感光体ドラム４１表面を走査、露光して画像データに応じた静電潜像を形成する。現像装置４４は、感光体ドラム４１に形成された静電潜像にトナーを供給して現像する。転写ローラー４５は感光体ドラム４１に圧接し、ニップを形成する。そして、レジストローラー対３４がタイミングを図り用紙をニップに進入させる。用紙とトナー像がニップ進入している時、転写ローラー４５には所定の電圧が印加される。これにより、用紙に感光体ドラム４１上のトナー像が転写される。クリーニング装置４６は、転写後に感光体ドラム４１に残留するトナー等を除去する。
【００４６】
定着部４ｂは、用紙に転写されたトナー像を定着させる。本実施形態の定着部４ｂは、発熱体を内蔵する加熱ローラー４７と加圧ローラー４８を含む。加熱ローラー４７と加圧ローラー４８は圧接しニップを形成する。そして、用紙のニップ通過により、トナーが溶融・加熱され、トナー像が用紙に定着する。定着部４ｂを通過した用紙は、排出トレイ３５に送られ、排出される。
【００４７】
（操作パネル１）
次に、図２を用いて、実施形態に係る操作パネル１の一例を説明する。図２は操作パネル１の一例を示す平面図である。
【００４８】
操作パネル１は、コピー等の印刷や原稿読取や画像データの送信の設定を行うための入力部として機能する。そして、図１に示すように、複合機１００の正面上方に設けられる。そして、操作パネル１は、液晶表示部５（表示部に相当）を含む。
【００４９】
液晶表示部５は、機能の選択、設定や文字入力等を行うためのキーを１又は複数表示する。使用者は、液晶表示部５に表示された設定画面９３やキーを押すことで、画像データの印刷、読取、送信や、複合機１００に蓄積された画像データに基づく印刷に関する設定を行うことができる。
【００５０】
又、液晶表示部５の上面には、タッチパネル部６（例えば、抵抗膜方式）が設けられる。タッチパネル部６は、液晶表示部５で押された部分の位置、座標を検知するためのものである。尚、タッチパネル部６としては、抵抗膜方式、表面弾性波方式、赤外線方式、静電容量方式等、各方式のものを採用でき特に制限はない。
【００５１】
又、操作パネル１には、以下のようなハードとしてのキー（ボタン）が設けられる。例えば、数字入力用のテンキー部１１や、各種設定後、コピー等の処理開始指示用のスタートキー１２等が設けられる。又、コピー機能を利用する際に押されるコピーキー１３、スキャナ機能、ＦＡＸ機能を利用する際に押される送信キー１４等が設けられる。又、ボックス機能（複合機１００に蓄積された画像データの利用や、複合機１００への画像データの蓄積に関する機能）を利用する際に押されるボックスキー１５も設けられる。このように、操作パネル１には、ボックスキー１５や各種ハードキーが備えられ、複合機１００の各機能について、各種設定、モード選択等を行う入力部として機能する。
【００５２】
（複合機１００のハードウェア構成）
次に、図３に基づき、実施形態に係る複合機１００のハードウェア構成を説明する。図３は、複合機１００のハードウェア構成の一例を示すブロック図である。
【００５３】
複合機１００内には、主制御部７が設けられる。主制御部７は、例えば、操作パネル１、画像読取部２ａ、原稿搬送装置２ｂ、給紙部３ａ、搬送路３ｂ、画像形成部４ａ、定着部４ｂ等の制御を行う。
【００５４】
主制御部７は、例えば、ＣＰＵ７１等の処理、演算を行う素子を含む。ＣＰＵ７１は記憶部７２に格納され、展開される制御プログラムに基づき演算等を行い、複合機１００の各部を制御する。尚、主制御部７は、全体制御や画像処理を行うメイン制御部や、画像形成や各種回転体を回転させるモータ等のＯＮ／ＯＦＦ等を行い、印刷を制御するエンジン制御部等、機能ごとに分割されてもよい。本説明では、分割され得る制御部を主制御部７としてまとめた形態を示し、説明する。
【００５５】
記憶部７２は、主制御部７と通信可能に接続される。記憶部７２は、ＲＯＭ、ＲＡＭ、ＨＤＤ等の不揮発性と揮発性の記憶装置を組み合わせて構成される。記憶部７２は、複合機１００の制御用プログラム、制御用データ、設定データ、画像データ等の各種データを記憶できる。
【００５６】
そして、主制御部７は、各種コネクタ、ソケットやＦＡＸモデム等を備えた通信部７３（通信インターフェイス）と通信可能に接続される。通信部７３はネットワークや公衆回線等により複数の外部のコンピューター２００（例えば、パーソナルコンピューターやサーバ）や相手方ＦＡＸ装置３００（図７では、いずれも便宜上１つのみ図示）と接続される。例えば、画像読取部２ａでの原稿読み取りで得られた画像データを外部のコンピューター２００や相手方ＦＡＸ装置３００に送信することができる（スキャナ機能、ＦＡＸ機能）。又、外部のコンピューター２００や相手方ＦＡＸ装置３００から送信され、複合機１００に入力される画像データに基づき印刷、ＦＡＸ送信等を行うこともできる（プリンタ機能、ＦＡＸ機能）。
【００５７】
又、例えば、主制御部７には、画像読取部２ａで原稿を読み取って得られた画像データや通信部７３を介して複合機１００に入力された画像データに対し、画像処理を施す画像処理部７４が設けられる。画像処理部７４が処理した画像データは、例えば、露光装置４３に送信され、感光体ドラム４１の走査・露光に用いられたり、記憶部７２に記憶されたり、外部のコンピューター２００等に送信される。
【００５８】
又、主制御部７は、操作パネル１と通信可能に接続される。主制御部７は、操作パネル１になされた入力内容、設定内容を操作パネル１から受信し、使用者の設定にあわせてコピー等が行われるように複合機１００を制御する。
【００５９】
本実施形態の操作パネル１は、表示制御部８、メモリー８１、液晶表示部５、タッチパネル部６、ボックスキー１５等を含む。表示制御部８は、ＣＰＵやＩＣや液晶表示部５の液晶パネルのドライバ回路等で構成される。まず、表示制御部８は、液晶表示部５の表示を制御する。又、表示制御部８は、タッチパネル部６の出力を受け、液晶表示部５（タッチパネル部６）で押された位置の座標を特定する。タッチパネル部６の出力と座標の対応を示すテーブル等のデータは、メモリー８１に記憶される。表示制御部８は、押された位置の座標と、液晶表示部５に表示されている画面の画像データを比較して、画面上で選択された（押された）キーを特定、認識する。
【００６０】
又、表示制御部８は、時間を測定する計時部８２を含む。計時部８２は、タッチパネル部６の出力に基づき、液晶表示部５に表示されるキーが押されてから次のキーが押されるまでの時間を測定する。尚、表示制御部８内のＣＰＵの計時機能を用いて時間の測定がなされても良い。
【００６１】
通常の操作において、複合機１００の各機能の設定項目を選択し、設定値を設定するには、液晶表示部５における最上層の表示から、液晶表示部５に表示されるキーの選択を繰り返す。そして、キー選択ごとに、表示制御部８は、液晶表示部５の表示を切り換えさせ、最終的に、選択、設定しようとする機能の設定値が設定される。表示制御部８は、機能（設定項目）の選択や設定値の設定入力を認識し、設定内容を本体の主制御部７に送信する。これにより、主制御部７は、操作パネル１で選択、設定された機能を反映した動作を画像形成部４ａ等の各部に行わせ、使用者の意思が、印刷や原稿読取等に反映される（例えば、濃度設定や拡大縮小など）。
【００６２】
そして、液晶表示部５で表示される各種の画面、画像の画像データは、操作パネル１内のメモリー８１が記憶する。従って、表示制御部８は、設定項目の選択画面９２や各設定画面９３中のキーが押されるごとに、表示制御部８は、次に表示すべき画面の画像データをメモリー８１から読み出す。そして、表示制御部８は、液晶表示部５に表示を切り替えさせる。
【００６３】
（誤入力防止の概要）
次に、図４〜図６を用いて、実施形態に係る操作パネル１での誤入力防止の概要を説明する。図４は、ボックス機能を利用するためのボックス初期画面９１の一例を示す説明図である。図５は、原稿を読み取る上での設定項目を選択する選択画面９２の一例を示す説明図である。図６は、原稿サイズの設定項目の設定値を設定する設定画面９３の一例を示す説明図である。
【００６４】
まず、使用者は、複合機１００（操作パネル１）に次第に慣れてくる。例えば、良く用いる機能について設定を繰り返すと、画面の表示内容やキーの表示位置などを記憶する。そうすると、予測して操作パネル１へのタッチ（押下）を素早く行うようになる。例えば、画面が切り替わると、表示される画面の内容を確認せずに直ちにキーを押すといった操作を行う。しかし、表示される画面の内容をほとんど確認しないでキーを押すので、誤ってキーを押してしまうことがある。
【００６５】
又、素早い指の動作を行うとき１回だけ押そうとしても、反射的に意図せず２度押ししてしまう場合もある。そして、１回目にキー押して画面が切り替わると、同じ位置に別のキーが配されていることがある。このような意図しない２度押しがなされると、使用者は意図しないキー（誤ったキー）を押してしまう。
【００６６】
誤ったキーを押しても、通常、表示制御部８は、誤ったキーが押されたと認識し、入力を受け付ける。そして、入力を受け付けたキーに応じ、表示制御部８は、液晶表示部５に画面の表示の切り替えさせる等の処理を行う。
【００６７】
そのため、誤ったキーを押してしまうと、画面の切替や設定値の変更などの操作が必要になることがある。特に、設定を取り消すキーが押されると、表示制御部８は、例えば、保持している設定内容をメモリー８１に破棄させる処理を行う。そのため、使用者は、設定のやり直しを行う必要がある。又、例えば、誤って設定項目の設定完了を指示するキーが押されると、表示制御部８は、設定項目の設定画面９３から他の画面への表示の切り替えを液晶表示部５に行わせることがある。そうすると、使用者は、タッチパネル部６に入力を行い、閉じた設定画面９３を液晶表示部５に再度表示させ、所望する設定値に設定し直す必要がある。
【００６８】
このように使用者の慣れに起因して、誤入力（誤ったキーの押下）がなされることがある。一方で、誤入力があっても直ちに（１タッチで）修正可能な場合もある。そこで、本実施形態の操作パネル１には、１タッチでは修正できないような誤って押されると手間のかかる設定のやり直しが必要となる特定キー（例えば、取消キーや確定キーなど）の入力を遅らせる誤入力防止モードが設けられる。そこで、図４〜図６を用いて、誤入力防止モードを説明する。
【００６９】
ここで、本説明では、複合機１００のボックス機能を例に挙げて、誤入力防止モードを説明する。尚、誤入力防止モードは、コピー機能、スキャン機能、送信機能等に関する機能の設定にも適用できる。そして、以下のボックス機能についての説明は、コピー機能、スキャン機能、送信機能等の各種機能の設定についても当てはまる。
【００７０】
まず、図４を用いて、ボックス機能の概要を説明する。図４は、液晶表示部５が表示するボックス初期画面９１の一例である。表示制御部８は、操作パネル１のボックスキー１５が押されると、液晶表示部５にボックス初期画面９１を表示させる。言い換えると、ボックス初期画面９１はボックス機能に関する画面のうち、最上層に位置する画面である。
【００７１】
複合機１００の記憶部７２のＨＤＤには、各種ボックスを記憶させるための領域が仮想的に確保される。ボックスの種類としては、後日再利用する等の目的で、画像読取部２ａを用いて読み取ったファイル（画像データ）が記憶されるカスタムボックス（図４の「Custum Box」のタブに対応）、コンピューター２００から送信された印刷ジョブや送信ジョブを一時的に蓄えるジョブボックス（図４の「Job Box」のタブに対応）、通信部７３に接続された外部メモリー（例えば、ＵＳＢメモリーや各種メモリーカード）内の画像データを取り込んで蓄える外部メモリボックス（図４の「Removable Memory」のタブに対応）、ＦＡＸの送信ジョブを一時的に蓄えるＦＡＸボックス（図４の「Fax Box」のタブに対応）等がある。
【００７２】
そして、図４は、カスタムボックスを開いた状態の一例を示している。カスタムボックスのボックス初期画面９１には、カスタムボックス（記憶部７２）に記憶された画像データを一覧形式で表示する一覧表示領域Ｆ１が設けられる。図４は、データ名が「□□□□」であり、記憶させた使用者（登録者）が「△△△△」のファイル（画像データ）が１件、カスタムボックスに記憶されているときの表示の一例を示している。
【００７３】
そして、ボックス初期画面９１には、例えば、蓄積キーＫ１（「Store File」と付されたキー）や、詳細キーＫ２（「Detail」と付されたキー）や、開くキーＫ３（「Open」と付されたキー）が設けられる。尚、ボックス初期画面９１の右側に設けられるキーは、カスタムボックスに複数蓄積されたファイルを検索するためのキーである。
【００７４】
画像読取部２ａにより原稿を読み取って得られたファイル（画像データ）をカスタムボックスに新たに蓄積して記憶させるとき、蓄積キーＫ１が押される。カスタムボックスに蓄積されたファイルの詳細（例えば、データサイズやページ数等）を確認するとき、確認するファイルを指定して詳細キーＫ２が押される。詳細キーＫ２が押されると、表示制御部８は、タッチにより選択された画像データの詳細を液晶表示部５に表示させる。又、カスタムボックスに蓄積されたファイルを印刷や送信等に利用するとき、利用するファイルを指定して（押して）、開くキーＫ３が押される。開くキーＫ３が押されると、例えば、表示制御部８は、指定されたファイルの印刷や送信設定用の画面を液晶表示部５に表示させる。
【００７５】
ここで、本説明では、ボックス初期画面９１で蓄積キーＫ１が押された場合を説明する。ボックス初期画面９１で蓄積キーＫ１が押されると、図５に示すように、表示制御部８は、原稿読み取りに関する設定項目の選択画面９２を液晶表示部５に表示させる。
【００７６】
図５は、選択画面９２のうち、機能タブＴＢ１（「Function」と付されたタブ）を押した状態の選択画面９２である。尚、簡易設定タブＴＢ２（「Quick Setup」と付されたタブ）が押されると、経験上良く用いられる設定項目（例えば、２〜３つの設定項目）に絞られたキー（例えば、読取の縮小や拡大や保存ファイル形式の設定項目）等により読み取りの設定を行える選択画面９２が表示される（不図示）。
【００７７】
機能タブＴＢ１が押されたとき、選択画面９２には、設定項目を選択するための１２個の略矩形のキーが表示される。この選択画面９２には、原稿のサイズを設定する原稿サイズキーＫ４（「Original Size」と付されたキー）や、原稿が両面であるか片面であるか等、原稿のタイプを設定する両面キーＫ５（「2-Side/Book Original」と付されたキー）や、原稿の載置方向を設定するための載置方向キーＫ６（「Original Orientation」と付されたキー）等が設けられる。尚、他の設定項目のキーも機能が割り振られるが、説明を割愛する。
【００７８】
又、設定項目を１画面に表示しきれないので（原稿読み取りに関する設定項目が１２個以上あるので）、表示される設定項目を切り替える矢印キーＫ７、Ｋ８が選択画面９２に設けられる。矢印キーＫ７、Ｋ８が押されると、表示制御部８は、選択画面９２に表示される設定項目のキーの表示を液晶表示部５に切り替えさせる。
【００７９】
又、選択画面９２の右下には、戻るキーＫ９（「Back to List」と付されたキー）が配される。戻るキーＫ９が押されると、表示制御部８は、今までになされた設定内容を全て破棄して、図４に示すボックス初期画面９１を液晶表示部５に表示させる。
【００８０】
そして、図６は、原稿サイズキーＫ４が押されたときに表示される原稿サイズの設定項目の設定画面９３である。表示制御部８は、原稿サイズキーＫ４が押されると、原稿サイズの設定項目の設定画面９３を液晶表示部５に表示させる。設定画面９３は、各設定項目に対して設けられ、表示制御部８は、選択された（押された）設定項目に応じて、対応する設定画面９３を液晶表示部５に表示させる。
【００８１】
設定項目の設定画面９３には、第１標準サイズキーＫ１０（「Standard Size1」と付されたキー）、第２標準サイズキーＫ１１（「Standard Size2」と付されたキー）、その他キーＫ１２（「Others」と付されたキー）、サイズ入力キーＫ１３（「Size Entry」と付されたキー）が設けられる。
【００８２】
そして、図６は、原稿サイズの設定項目の設定画面９３でサイズ入力キーＫ１３が押されたときに表示される設定画面９３の一例を示す。そして、プラスキーＫ１４やマイナスキーＫ１５やテンキー利用キーＫ１６を用いて、原稿の横方向のサイズを設定することができる。又、プラスキーＫ１７やマイナスキーＫ１８やテンキー利用キーＫ１９を用いて、原稿の縦方向のサイズを設定値として設定することができる。
【００８３】
尚、第１標準サイズキーＫ１０や第２標準サイズキーＫ１１やその他キーＫ１２が押されると、Ａ４横、Ａ４縦、レターサイズ等、定型サイズと呼ばれる用紙サイズを示すキーが複数表示される。使用者は、表示された用紙サイズに対応するキーを押し、定型の原稿サイズを設定値として設定できる。
【００８４】
原稿サイズの設定項目の設定画面９３の右下には、ＯＫキーＫ２０（特定キーに相当）とキャンセルキーＫ２１（特定キーに相当）が設けられる。ＯＫキーＫ２０は、原稿サイズの設定を完了するときに押される。表示制御部８は、ＯＫキーＫ２０が押されると、設定された原稿サイズで読み取りを行うと認識し、設定内容をメモリー８１に記憶させる。表示制御部８は、キャンセルキーＫ２１が押されると、原稿サイズの設定がなされなかったものと認識する。そして、ＯＫキーＫ２０やキャンセルキーＫ２１が押されると、表示制御部８は、液晶表示部５に図５に示した選択画面９２を表示させる。尚、ＯＫキーＫ２０やキャンセルキーＫ２１は、どの設定項目の設定画面９３でもほぼ同じ位置に表示される。そのため、どの設定項目の設定画面９３のＯＫキーＫ２０やキャンセルキーＫ２１も特定キーとしてもよい。そして、所望の設定項目に対して設定値の設定を行った後、スタートキー１２が押されると、表示制御部８は、主制御部７に設定内容を伝達する。主制御部７は、操作パネルでの設定内容に応じて、原稿搬送装置２ｂや画像読取部２ａに原稿の読み取りを行わせ、画像データ（ファイル）を生成させ、記憶装置７２に画像データを格納させる。
【００８５】
ここで、操作に慣れた使用者が、キーを素早く押すことにより原稿サイズの設定項目の設定画面９３でのキャンセルキーＫ２１を誤って押すと、サイズ入力キーＫ１３を入力して原稿サイズを設定しても、再度、原稿サイズの設定を行わなければならない。
【００８６】
又、ＯＫキーＫ２０を押すことにより、選択画面９２に表示が切り替わるが、図５及び図６に示すように、設定画面９３でＯＫキーＫ２０のある位置に、選択画面９２には戻るキーＫ９が配される。そして、良く確認せずＯＫキーＫ２０を誤って２度押ししてしまうと、戻るキーＫ９の入力がなされることがある。戻るキーＫ９が押されると、これまでなされた設定が全て取り消されてしまう。この場合、使用者は設定を全てやり直すことになる。
【００８７】
そこで、表示制御部８は、キーが押される間隔が短いとき、特定キーの入力の受付を遅らせる誤入力防止モードでキーの入力（押下）を受け付ける（認識する）。ここで、本実施形態では、特定キーは、設定項目の設定を確定するキー（例えば、ＯＫキーＫ２０）や、設定内容を取り消すキー（例えば、キャンセルキーＫ２１や戻るキーＫ９）である。尚、確定するキーや取り消すキー以外に、他のキーを特定キーとしてもよい。
【００８８】
（誤入力防止モードでの処理）
次に、図７〜図９を用いて、誤入力防止モードでのキー入力の受付を説明する。図７は、誤入力防止モードのキー入力の受付を設定する誤入力防止モード設定画面９４の一例を示す説明図である。図８は、確認画面９５の一例を示す説明図である。図９は特定キーの移動の一例を示す説明図である。
【００８９】
本実施形態の操作パネル１では、誤入力防止モードでの表示制御部８の入力受付の振る舞い(入力を受け付ける条件等)を設定することができる。この設定は、誤入力防止モード設定画面９４で行うことができる。表示制御部８は、使用者により誤入力防止モード設定画面９４を開く操作がなされると、液晶表示部５に誤入力防止モード設定画面９４を表示させる。
【００９０】
この誤入力防止モード設定画面９４には、使用キーＫ２２と不使用キーＫ２３が設けられる。使用キーＫ２２は、キーが押される間隔が短いため、特定キーの入力の受付を遅らせるとき（誤入力防止モードを利用するとき）押される。尚、誤入力防止モードになるタイミングについての詳細は後述する。不使用キーＫ２３は、誤入力防止モードを用いないとき押される。
【００９１】
誤入力防止モード設定画面９４の右下部分にはＯＫキーＫ２４とキャンセルキーＫ２５が設けられる。表示制御部８は、使用キーＫ２２が押された状態でＯＫキーＫ２４が押されると、誤入力防止モードとなってよい旨の設定情報をメモリー８１に記憶させる。表示制御部８は、不使用キーＫ２３が押された状態でＯＫキーＫ２４が押されると、誤入力防止モードを用いない旨の設定情報をメモリー８１に記憶させる。これにより、使用者は、誤入力防止モードとなるか否かを操作パネル１で設定することができる。
【００９２】
そして、使用キーＫ２２と不使用キーＫ２３の下方には、５つのラジオボタン（ラジオボタンＲＢ１、ラジオボタンＲＢ２、ラジオボタンＲＢ３、ラジオボタンＲＢ４、ラジオボタンＲＢ５）が設けられる。これらのラジオボタンＲＢ１〜ＲＢ５は、誤入力防止モードでの表示制御部８の入力受付の振る舞い（第１モードから第５モード）を設定するためのボタンである。
【００９３】
〈第１モード〉
ラジオボタンＲＢ１は、誤入力防止モードのモードを第１モードとするとき、押される。表示制御部８は、誤入力防止モードの第１モードでは、先のキーが押されてから入力を無視する時間（入力無視時間）が経過してから、特定キーの入力（押下）を受け付ける。言い換えると、表示制御部８は、第１モードのとき、先のキーが押されてから入力無視時間が経過するまでに特定キーが押されても、無視する（特定キーが押されていないものと扱う）。そして、表示制御部８は、入力を受け付けた特定キーに応じて処理を行う。
【００９４】
ここで、第１モードでの「入力無視時間」は、任意に定めることができる時間である。例えば、十分に使用者に押そうとしているキーの内容を確認させるための時間であり、慣れによるキーの早押しを行っているか否かを判定するための基準時間よりも長くすることができる。言い換えると、入力無視時間は、操作に慣れた使用者が自分の押すキーが正しいか否かを確認できる時間とすればよい。例えば、入力無視時間は、２秒程度に設定される。２秒程度あれば、正しいキーを押しているか否かを使用者に十分認識させることができる。
【００９５】
従って、通常モード（通常のキーの入力の受付）では、表示制御部８は、単にキーが押されるとキーの入力を受け付けるが、誤入力防止モードでは入力無視時間を設けることにより、特定キーの入力の受付を遅らせる。
【００９６】
〈第２モード〉
ラジオボタンＲＢ２は、誤入力防止モードのモードを第２モードとするとき押される。表示制御部８は、誤入力防止モードの第２モードでは、特定キーが２度押しされると、特定キーの入力（押下）を受け付ける。言い換えると、表示制御部８は、第２モードのとき、１回特定キーが押されただけでは、特定キーが押されたとは認識せず、２度押しされて初めて特定キーの入力を受け付ける。そして、表示制御部８は入力を受け付けた特定キーに応じて処理を行う。
【００９７】
ここで、第２モードでは、特定キーの入力を受け付けるまでに押すべき回数は、２回とは限らず、３回以上でもよい。尚、回数が増えるほど、入力を受け付けるまでの時間は長くなり、正しいキーを押しているか否かを使用者に確認させる時間は長くなる。そこで、特定キーの入力を受け付けるまでに押すべき回数は、３回程度としてもよい。
【００９８】
従って、通常モード（通常のキーの入力の受付）では、表示制御部８は、単にキーが押されるとキーの入力を受け付けるが、誤入力防止モードでは、特定キーの入力回数（受け付けられるまでに押す回数）を意図的に増やすことにより特定キーの入力の受付を遅らせる。
【００９９】
〈第３モード〉
ラジオボタンＲＢ３は、誤入力防止モードのモードを第３モードとするとき押される。表示制御部８は、誤入力防止モードの第３モードでは、特定キーがされると、押したキーに誤りが有るか否かを確認するための確認画面９５（ダイアログ）を液晶表示部５に表示させる。言い換えると、表示制御部８は、第３モードのとき、１回特定キーが押されただけでは、特定キーが押されたとは認識せず、確認画面９５を表示し、処理を進めても良い旨の入力（押された特定キーに誤りが無い旨の入力）があると特定キーの入力を受け付ける。そして、表示制御部８は、入力を受け付けた特定キーに応じて処理を行う。
【０１００】
図８を用いて説明する。図８は、図５を用いて説明した選択画面９２で、誤入力防止モードで戻るキーＫ９が押されたときに表示される確認画面９５の一例を示している。図８に示すように、例えば、表示制御部８は、誤入力防止モードで押された特定キーを確認画面９５に表示させる。図８に示す例では、特定キーは、戻るキーＫ９である。又、表示制御部８は、確認画面９５内にＹｅｓキーＫ２６とＮｏキーＫ２７を液晶表示部５に表示させる。そして、表示制御部８は、ＹｅｓキーＫ２６が押されると、特定キーが押されたものと扱い、本例では戻るキーＫ９の入力を受け付け、ボックス初期画面９１を液晶表示部５に表示させる。一方、ＹｅｓキーＫ２６が押されると、特定キーが押されたとは扱わず、本例では戻るキーＫ９の入力を受け付けない（無視する）。
【０１０１】
従って、通常モード（通常のキーの入力の受付）では、表示制御部８は、単にキーが押されるとキーの入力を受け付けるが、誤入力防止モードでは、使用者に正しいキーを押したか否かを確認することにより、特定キーの入力の受付を遅らせる。
【０１０２】
〈第４モード〉
ラジオボタンＲＢ４は、誤入力防止モードのモードを第４モードとするとき押される。表示制御部８は、誤入力防止モードの第４モードでは、特定キーが長押しされると、特定キーの入力（押下）を受け付ける。言い換えると、表示制御部８は、第４モードのとき、単に特定キーが押されただけでは、特定キーが押されたとは認識せず、長押しされて初めて特定キーの入力を受け付ける。そして、表示制御部８は、入力を受け付けた特定キーに応じて処理を行う。
【０１０３】
ここで、第４モードでは、特定キーの入力を受け付けるまでに押すべき時間（予め定められた長押しと認められるまでの長押し時間）は、例えば、２秒程度とされる。２秒程度あれば、正しいキーを押しているか否かを使用者に十分認識させることができる。
【０１０４】
従って、通常モード（通常のキーの入力の受付）では、表示制御部８は、単にキーが押されるとキーの入力を受け付けるが、誤入力防止モードでは、特定キーの入力が受け付けられるまでに長押しを条件とすることにより、特定キーの入力の受付を遅らせる。
【０１０５】
〈第５モード〉
ラジオボタンＲＢ５は、誤入力防止モードのモードを第５モードとするとき、押される。表示制御部８は、誤入力防止モードの第５モードでは、画面切替後の特定キーの位置が、画面切替前に押されたキーの位置と重複するとき、切替後の画面の特定キーの位置をずらす。言い換えると、表示制御部８は、第５モードのとき、反射的な２度押しがあったとき、２度目に押される位置に特定キーが位置することになるとき、切替後の画面での特定キーの位置をずらす。そして、表示制御部８は、入力を受け付けた特定キーに応じて処理を行う。
【０１０６】
図９を用いて説明する。図９は、誤入力防止モードで図６を用いて説明した設定画面９３でＯＫキーＫ２０が押され、選択画面９２に遷移したとき（戻ったとき）の、選択画面９２の一例を示している。図９に示す例では、特定キーは、戻るキーＫ９である。又、図９では、移動前の戻るキーＫ９の位置を破線で示している。
【０１０７】
図６と図９に対比すると、液晶表示部５での原稿サイズの設定項目の設定画面９３でのＯＫキーＫ２０の位置と、移動前の選択画面９２での戻るキーＫ９の位置は重複している。そして、入力を素早く行うため、使用者がＯＫキーＫ２０の位置で連続的に（連打的に）キーを押す動作を行うと、移動前の選択画面９２での戻るキーＫ９を誤って押してしまいかねない。誤って戻るキーＫ９を押すと、設定のやり直しとなる。そこで、図９に示すように、例えば、表示制御部８は、誤入力防止モードでは、切替後の画面での特定キーの位置を、切替前に押されたキーの位置と重複しないように移動させる。
【０１０８】
従って、通常モード（通常のキーの入力の受付）では、表示制御部８は、単にキーが押されるとキーの入力を受け付け、特定キーの位置を移動させないが、押す位置を変えるために指先を移動させるための時間を設けることにより、特定キーの入力の受付を遅らせる。
【０１０９】
使用者は、何れかのラジオボタンを押して、誤入力防止モードでの特定キーの入力受付の態様を定める。そして、表示制御部８は、何れかのラジオボタンが押された状態でＯＫキーＫ２４が押されると、誤入力防止モードでの特定キーを受け付ける態様（第１〜第５のうち選択されたモード）を示す設定情報をメモリー８１に記憶させる。そして、表示制御部８は、誤入力防止モードで使用者の設定にあわせて、特定キーの入力を受け付ける。
【０１１０】
（誤入力防止モードと通常モードの遷移と復帰）
次に、図１０を用い、本実施形態の操作パネル１で誤入力防止モードと通常モードの遷移を説明する。図１０（ａ）と（ｂ）は、誤入力防止モードと通常モードの遷移の一例を説明するための説明図である。
【０１１１】
本実施形態の操作パネル１の表示制御部８は、キーが押される間隔が短いとき、誤入力防止モードで特定キーの入力を受け付ける。表示制御部８は、通常モードから誤入力防止モードに遷移すべきか、及び、誤入力防止モードから通常モードに復帰にすべきかを確認するため、各キーが押される時間間隔を測定する。このキーの押される時間間隔は、例えば、計時部８２が測定する。
【０１１２】
そして、表示制御部８は、時間間隔が予め定められた基準時間よりも短いとき、誤入力防止モードで特定キーの入力を受け付ける。基準時間は予め定められ、操作パネル１のメモリー８１に基準時間を示すデータが記憶される。尚、「基準時間」は、表示部（液晶表示部５）の画面サイズや各キー間の平均距離などを勘案して任意に定めることができる時間である。例えば、「基準時間」は、実験等により操作に慣れた使用者の平均的なキーとキーを押す間隔に基づき定めても良い。例えば、基準時間は、０．５秒程度とされる。言い換えると、基準時間は、使用者が表示された画面の内容を理解し、押すキーが何のキーかを理解して押しているか否かを判別するための時間である。そして、表示制御部８は、タッチパネル部６の出力に基づき、タッチパネルが押された時間間隔（キーが押された時間間隔）と基準時間を比較して、通常モードから誤入力防止モードに遷移すべきか否かを確認する。
【０１１３】
図１０（ａ）、（ｂ）を用いて、通常モードから誤入力防止モードへの遷移を説明する。まず、図１０（ａ）、（ｂ）での横軸は、時間の流れを示している。そして、Ｔ１〜Ｔ１０の各時点は、使用者によってキーが押された時点（表示制御部８がキーの入力を受け付けた時点）である。尚、Ｔ１〜Ｔ１０の各時点で押されるキーは、特定キーとは限らず全てのキーを対象とする。言い換えると、表示制御部８は、全てのキーを対象として、キーが押された時間間隔が予め定められた基準時間よりも短いか否かを確認する。そして、Δ１〜Δ１０は、前のキーが押された時から次のキーが押されるまでの時間間隔を示す。
【０１１４】
尚、図１０（ｂ）は、時間間隔（Δ７〜Δ１０）が全て基準時間よりも長い場合を示し、通常モードから誤入力防止モードに遷移させない場合を示す。このように、本実施形態の操作パネル１では、常時、誤入力防止モードとするのではなく、使用者が比較的内容を確認しつつ入力（キーの押下）を行っていると認められるとき、表示制御部８は、通常モード（特定キーであるか否かを問わず）で押されたキーの入力を受け付ける。
【０１１５】
そして、図１０（ａ）に示す例では、時間間隔Δ２〜Δ５は、基準時間よりも短い時間間隔である。キーが押されてから次のキーが押されるまでの時間が短いとき（図１０（ａ）に示すＴ２の時点のとき）、表示制御部８の特定キーの入力を受け付けるモードは、特定キーが押されると入力を受け付ける通常モードから誤入力防止モードとなる。
【０１１６】
そして、誤入力防止モードとなってから、図１０（ａ）に示すように、キーが押される時間間隔が基準時間よりも長くなると、誤入力防止モードが解除され、通常モードに復帰する（図１０（ａ）の例では、Ｔ５の時点でキーが押されてからＴ６の時点でキーが押されるまでの間に通常モードに復帰）。
【０１１７】
あるキーが押されてから誤入力防止モードを解除するまで（通常モードに復帰するまで）の時間は、例えば、基準時間よりも長くされ、又、任意に定めることができる。例えば、キーが押されてから次のキーが押されるまでの時間が基準時間以上経過した後、表示制御部８は、誤入力防止モードを解除し、通常モードで特定キーの入力を受け付ける。
【０１１８】
尚、誤入力防止モードのモードによっては（例えば、第１モード）、特定キーの入力が受け付けられるまでの時間は、基準時間よりも長くなる場合がある。そこで、誤入力防止モードを解除するまで（通常モードに復帰するまで）の時間（図１０（ａ）での時間ｔ１）は基準時間よりも長くするようにしてもよい。例えば、基準時間が０．５秒であり、入力無視時間が２秒であるとき、キーが押されてから次のキーが押されるまでの時間が入力無視時間よりも長いとき、表示制御部８は、誤入力防止モードを解除してもよい。言い換えると、誤入力防止モードから通常モードに復帰する条件は、任意に定めることができ、キーが押されてから次のキーが押されるまでの時間に基づき、表示制御部８は、復帰する条件が満たされたか否かを判定できる。
【０１１９】
（入力受付の流れ）
次に、図１１に基づき、本実施形態の操作パネル１でのキーの入力受付の流れを説明する。図１１は、操作パネル１でのキーの入力受付の流れの一例を示すフローチャートである。
【０１２０】
まず、図１１のスタートは、設定項目の選択や設定値の設定等、操作パネル１でジョブ実行のために各種の入力が可能となった時点である。例えば、複合機１００の主電源が投入された時点や、省電力モード解除に伴って、省電力モードで電力供給が遮断されていた操作パネル１に電力供給が再開された時点や、使用者の認証によるログインで、操作パネル１が入力を受け付けるようになった時点などがあてはまる。
【０１２１】
まず、表示制御部８は、特定キーの入力を受け付けるモードを通常モードとする（ステップ♯１）。言い換えると、デフォルトのモードは、通常モードである。通常モードでは、表示制御部８は、特定キーが押されれば、特定キーが押されたと認識して入力を受け付ける。そして、表示制御部８は、キーが押されてから次のキーが押されるまでの時間を測定する（ステップ♯２）。次に、表示制御部８は、測定した時間間隔が基準時間よりも短いか否かを確認する（ステップ♯３）。測定した時間間隔が基準時間以上であれば（ステップ♯３のＮｏ）、使用者は確認を行いながら入力していると認められるので、フローは、ステップ♯２に戻る
【０１２２】
一方、測定された時間が基準時間よりも短ければ（ステップ♯３のＹｅｓ）、表示制御部８は、誤入力防止モードで各キーの入力を受け付ける（ステップ♯４）。誤入力防止モードでは、表示制御部８は特定キーが押されると、誤入力防止モード設定画面９４で設定された第１〜第５の何れかのモードで特定キーの入力を受け付ける。
【０１２３】
そして、誤入力防止モードでも、表示制御部８は、キーが押されてから次のキーが押されるまでの時間を測定する（ステップ♯５）。そして、表示制御部８は、測定された時間間隔に基づき、誤入力防止モードを解除し通常モードに復帰するか否かを確認する（ステップ♯６）。
【０１２４】
通常モードに復帰する条件を満たせば（ステップ♯６のＹｅｓ）、表示制御部８は、通常モードでの各キーの入力受け付けを開始する（ステップ♯１に戻る）。一方、通常モードに復帰する条件を満たしていなければ（ステップ♯６のＹｅｓ）、誤入力防止モードを維持すべきであるため、フローは、ステップ♯５に戻る。このように、操作パネル１での入力での誤入力防止モードと通常モードの状態の遷移が行われる。そして、操作パネル１が入力を受け付けない状態となったとき（省電力モードへの移行やログアウト等のあったとき、）、本フローは終了する。
【０１２５】
このようにして、本実施形態の本実施形態に係る表示入力装置（操作パネル１）は、設定項目の選択、及び、選択された設定項目での設定値を設定するための複数のキーを画面に表示する表示部（液晶表示部５）と、表示部で押された位置を検知するためのタッチパネル部６と、タッチパネル部６の出力に基づき表示部に表示されるキーのうち押されたキーを認識して入力を受け付けるとともに、表示部の表示を制御し、押されたキーに応じて表示を表示部に切り替えさせる表示制御部８と、を含み、表示制御部８は、キーが押される時間間隔を測定し、予め定められた基準時間よりも短い時間間隔でキーが押されると、予め定められた特定のキーである特定キー（例えば、ＯＫキーＫ２０、キャンセルキーＫ２１、戻るキーＫ９等）の入力の受け付けを遅らせる誤入力防止モードでキーの入力を受け付ける。
【０１２６】
これにより、キーが押される時間間隔が短く、表示された画面の内容やキーを確認しないままキーが押されている可能性があるとき、慣れに起因して誤って前のキーを押してから短い時間の間隔で特定キー（例えば、ＯＫキーＫ２０、キャンセルキーＫ２１、戻るキーＫ９等）が押されても、直ちには入力が受け付けられない。言い換えると、特定キーの入力が受け付けられるまでに要する時間を意図的に落とし、表示された画面の内容やキーの確認を促す。従って、使用者の意図しない処理がなされ、設定のやり直しを防ぐことができ、表示入力装置（操作パネル１）の使いやすさを向上させることができる。
【０１２７】
又、予め定められた特定のキーである特定キー（例えば、ＯＫキーＫ２０、キャンセルキーＫ２１、戻るキーＫ９等）のみ入力の受け付けが遅らされる。これにより、表示部（液晶表示部５）に表示された全てのキーの入力の受付が遅らされない。従って、誤入力防止モードとなっても、設定入力の遅延は入力操作全般に及ばず、迅速な設定入力を妨げとなり難い。又、予め定められた基準時間よりも短い時間間隔でキーが押されたときのみ誤入力防止モードとなり、常時、誤入力防止モードとしないので、設定の入力の遅延を招き難い。
【０１２８】
又、既になされた設定の取り消すための取消キーを押すと、設定内容を破棄する処理がなされ、設定のやり直しが必要となる。先に行った操作の繰り返しは煩雑である。又、先に行った操作が複雑であるほど、設定のやり直しに手間がかかる。そこで、表示制御部８は、既になされた設定の取消を受け付けるための取消キーを表示部（液晶表示部５）に表示させ、取消キーは、特定キーである。これにより、慣れに起因する取消キーの誤入力が受け付けられることを防ぐことができる。従って、手間のかかる設定のやり直しを防ぎ、表示入力装置（操作パネル１）の使いやすさを向上させることができる。
【０１２９】
又、設定を確定する確定キーを押すと、設定項目の設定は完了し、画面の表示が大きく切り替わることがある。しかし、確定した設定項目の設定に誤りがあれば、設定項目の選択や設定値の設定のやり直しが必要となり、使用者にとって煩雑な操作となることがある。そこで、表示制御部８は、設定の確定を受け付けるための確定キーを表示部（液晶表示部５）に表示させ、確定キーは、特定キーである。これにより、慣れに起因して誤って押された確定キーの入力が受け付けを防ぐことができる。従って、手間のかかる設定のやり直しを防ぎ、表示入力装置（操作パネル１）の使いやすさを向上させることができる。
【０１３０】
又、表示制御部８は、誤入力防止モードのとき、先のキーが押されてから予め定められた入力無視時間が経過すると特定キー（例えば、ＯＫキーＫ２０、キャンセルキーＫ２１、戻るキーＫ９等）による入力を受け付け、入力無視時間が経過からするまでの間に特定キーが押されても無視する。これにより、慣れに起因して誤った特定キーが押されても直ちに入力は受け付けられない。又、画面内容や押そうとしているキーが何であるかを使用者に確認させることができ、使用者は、入力無視時間経過後に正しいキーを押すことになり、誤入力を防止することができる。
【０１３１】
又、表示制御部８は、誤入力防止モードのとき、特定キー（例えば、ＯＫキーＫ２０、キャンセルキーＫ２１、戻るキーＫ９等）が複数回押されると、特定キーによる入力を受け付ける。これにより、慣れに起因して誤った特定キーが押されても直ちに入力は受け付けられない。又、使用者は、複数回キーを押すうちに、画面内容や押そうとしているキーを確認できる。そして、正しいキーを押しているか判定させることにより、誤入力を防止することができる。
【０１３２】
又、表示制御部８は、誤入力防止モードのとき、特定キー（例えば、ＯＫキーＫ２０、キャンセルキーＫ２１、戻るキーＫ９等）が押されると、表示部（液晶表示部５）に特定キーが押されたことを確認するための確認画面９５を表示させ、確認画面９５で処理を進めても良い旨の続行入力がなされると特定キーの入力を受け付け、処理を進めない旨の中止入力がなされると特定キーの入力を無視する。これにより、慣れに起因して誤った特定キーが押されても、入力したキー（押したキー）が正しいか否かが使用者に確実に確認される。従って、誤入力に基づく使用者の意図しない処理が行われない。
【０１３３】
又、表示制御部８は、誤入力防止モードのとき、予め定められた長押し時間の間、特定キー（例えば、ＯＫキーＫ２０、キャンセルキーＫ２１、戻るキーＫ９等）が押され続けると、特定キーによる入力を受け付ける。これにより、慣れに起因して誤った特定キーが押されても直ちに入力は受け付けられない。又、使用者は、キーを押している間、画面内容や押してしているキーが正しいキーか否かに気づくことができる。従って、誤入力を防止することができる。
【０１３４】
又、表示制御部８は、キーが押されることにより表示部（液晶表示部５）に切替表示させる切替後の画面で、切替前の画面で押されたキーの位置と重複する位置に特定キー（例えば、ＯＫキーＫ２０、キャンセルキーＫ２１、戻るキーＫ９等）が位置するとき、誤入力防止モードのとき、切替後の画面での特定キーの位置を重複しない位置に移動させて表示部に表示させる。これにより、通常では、同様の位置に表示されるキーを押すが、誤入力防止モードでは指の位置を移動させる必要がある。指の移動には、一定の時間がかかるので、押そうとしているキーが正しいキーか否かに気づく時間を設けることができる。又、慣れに起因する同じ位置や近い位置での二度押しによる誤ったキーの入力を生じ難くすることができる。
【０１３５】
又、表示制御部８は、誤入力防止モードとなった後、先のキーが押されてから次のキーの押されるまでの間隔が基準時間以上となると、誤入力防止モードを解除する。これにより、使用者がキーの内容を確認しつつ、キーを選択して入力している（押している）と認められるとき、誤入力防止モードが解除される。従って、慣れに起因する誤入力が生じ難いと認められるとき、入力の受付は遅延無く行われ、表示入力装置（操作パネル１）の使いやすさを高めることができる。
【０１３６】
又、画像形成装置（例えば、複合機１００）は、請求項１乃至９のいずれか１項に記載の表示入力装置（操作パネル１）を含む。これにより、上記の何れかの表示入力装置（操作パネル１）を含むので、使いやすい画像形成装置を提供することができる。
【０１３７】
次に、他の実施形態を説明する。上記の実施形態では、表示制御部８が操作パネル１への入力を受け付ける例を説明したが、表示制御部８に代えて、表示制御部８が行う処理を主制御部７に行わせても良い。このとき、主制御部７は、操作パネル１の制御部としても機能する。
【０１３８】
本発明の実施形態を説明したが、本発明の範囲はこれに限定されるものではなく、発明の主旨を逸脱しない範囲で種々の変更を加えて実施することができる。
【産業上の利用可能性】
【０１３９】
本発明は、表示部とタッチパネル部を有する表示入力装置や、画像形成装置に利用可能である。
【符号の説明】
【０１４０】
１００  複合機（画像形成装置）          １      操作パネル（表示入力装置）
５      液晶表示部（表示部）            ６      タッチパネル部
８      表示制御部                      ９５    確認画面
Ｋ９    戻るキー（特定キー）            Ｋ２０  ＯＫキー（特定キー）
Ｋ２１  キャンセルキー（特定キー）
【図１】
0005514773.tif 000002
【図２】
0005514773.tif 000003
【図３】
0005514773.tif 000004
【図４】
0005514773.tif 000005
【図６】
0005514773.tif 000006
【図７】
0005514773.tif 000007
【図８】
0005514773.tif 000008
【図１０】
0005514773.tif 000009
【図１１】
0005514773.tif 000010
【図５】
0005514773.tif 000011
【図９】
0005514773.tif 000012